(57)【要約】【課題】マスター主装置と１以上のスレーブ主装置とを含むシステムに多数のＳＩＰ端末が接続されることを可能とする。【解決手段】マスター主装置と１以上のスレーブ主装置とを含むシステムにおけるＳＩＰ端末制御システムにおいて、前記マスター主装置は、該マスター主装置に接続された各スレーブ主装置毎のマルチリンク部を備え、各スレーブ主装置は、１以上のＳＩＰ端末を収容するＳＩＰ端末収容部を備え、前記マルチリンク部と前記各ＳＩＰ端末収容部とは、ＳＩＰリンクにより接続され、前記マルチリンク部は、前記マスター主装置のＣＰＵを利用して動作し、各ＳＩＰ収容部は、それが含まれる前記スレーブ主装置又は前記マスター主装置のＣＰＵを利用して動作する。【選択図】図１
2011160192.tif 000002
【特許請求の範囲】
【請求項１】
マスター主装置と１以上のスレーブ主装置とを含むシステムにおけるＳＩＰ端末制御システムにおいて、
前記マスター主装置は、該マスター主装置に接続された各スレーブ主装置毎のマルチリンク部を備え、
各スレーブ主装置は、１以上のＳＩＰ端末を収容するＳＩＰ端末収容部を備え、
前記マルチリンク部と前記各ＳＩＰ端末収容部とは、ＳＩＰリンクにより接続され、
前記マルチリンク部は、前記マスター主装置のＣＰＵを利用して動作し、
各ＳＩＰ収容部は、それが含まれる前記スレーブ主装置又は前記マスター主装置のＣＰＵを利用して動作することを特徴とするＳＩＰ端末制御システム。
【請求項２】
請求項１に記載のＳＩＰ端末制御システムにおいて、
前記各ＳＩＰ端末収容部は、送信側処理部と受信側処理部とを少なくとも含み、前記送信側処理部は、前記マルチリンク部から送られてきた送信バイナリデータを基に、テキストで構成される送信ＳＩＰメッセージを生成することを特徴とするＳＩＰ端末制御システム。
【請求項３】
請求項２に記載のＳＩＰ端末制御システムにおいて、
前記受信側処理部は、テキストで構成される受信ＳＩＰメッセージを解析し、解析の結果を前記マルチリンク部に送信することを特徴とするＳＩＰ端末制御システム。
【請求項４】
マスター主装置と１以上のスレーブ主装置とを含むシステムにおけるＳＩＰ端末制御方法において、
前記マスター主装置に、該マスター主装置に接続された各スレーブ主装置毎のマルチリンク部を生成し、
各スレーブ主装置に、１以上のＳＩＰ端末を収容するＳＩＰ端末収容部を生成し、
前記マルチリンク部と前記各ＳＩＰ端末収容部とを、ＳＩＰリンクにより接続し、
前記マルチリンク部を、前記マスター主装置のＣＰＵを利用して動作させ、
各ＳＩＰ収容部を、それが含まれる前記スレーブ主装置又は前記マスター主装置のＣＰＵを利用して動作させることを特徴とするＳＩＰ端末制御方法。
【請求項５】
コンピュータを請求項１に記載のマルチリンク部として機能させるためのプログラム。
【請求項６】
コンピュータを請求項１乃至２の何れか１項に記載のＳＩＰ端末収容部として機能させるためのプログラム。
【発明の詳細な説明】
【技術分野】
【０００１】
本発明は、マスター主装置と１以上のスレーブ主装置とを含むシステムにおけるＳＩＰ端末制御システム及びＳＩＰ端末制御方法に関する。
【背景技術】
【０００２】
特許文献１に記載の発明では、デジタル端末や回線などを制御するためのパッケージとしては、スレーブ主装置に含まれる物理パッケージが利用されていた。スレーブ主装置に含まれる物理パッケージは、対応テーブルを利用して、マスター主装置に含まれる仮想スロットと対応づけられ、マスター主装置は、その対応付けを利用して、スレーブ主装置の物理パッケージの配下にあるデジタル端末や回線を制御することができた。各スレーブに含まれる物理パッケージは、そのスレーブ主装置のＣＰＵを用いてデジタル端末などを制御するため、そのような制御のための処理がマスター主装置のＣＰＵに集中することを避けることができた。
【先行技術文献】
【特許文献】
【０００３】
【特許文献１】特開２００９−００３９２３号公報
【発明の概要】
【発明が解決しようとする課題】
【０００４】
ここで、マスター主装置と１以上のスレーブ主装置とを含むシステムにＳＩＰ端末も接続することとした。これにより、このシステムの汎用性や有用性を大きく向上させることができた。
【０００５】
しかし、ＳＩＰ端末は、スレーブ主装置の物理パッケージに収容されない。マスター主装置が直接的にＳＩＰ端末を制御するため、マスター主装置のＣＰＵにＳＩＰ端末を制御するための処理が集中していた。ことに、各ＳＩＰ端末を制御するためには、メッセージ処理などの負荷の重い処理が必要とされる。従って、マスター主装置と１以上のスレーブ主装置とを含むシステムに接続することができるＳＩＰ端末の数がかなり制限されていた。
【０００６】
そこで、本発明は、マスター主装置と１以上のスレーブ主装置とを含むシステムに多数のＳＩＰ端末が接続されることを可能とするＳＩＰ端末制御システム及びＳＩＰ端末制御方法を提供することを目的とする。
【課題を解決するための手段】
【０００７】
本発明によれば、マスター主装置と１以上のスレーブ主装置とを含むシステムにおけるＳＩＰ端末制御システムにおいて、前記マスター主装置は、該マスター主装置に接続された各スレーブ主装置毎のマルチリンク部を備え、各スレーブ主装置は、１以上のＳＩＰ端末を収容するＳＩＰ端末収容部を備え、前記マルチリンク部と各前記ＳＩＰ端末収容部とは、ＳＩＰリンクにより接続され、前記マルチリンク部は、前記マスター主装置のＣＰＵを利用して動作し、各ＳＩＰ収容部は、それが含まれる前記スレーブ主装置又は前記マスター主装置のＣＰＵを利用して動作することを特徴とするＳＩＰ端末制御システムが提供される。
【０００８】
本発明によれば、マスター主装置と１以上のスレーブ主装置とを含むシステムにおけるＳＩＰ端末制御方法において、前記マスター主装置に、該マスター主装置に接続された各スレーブ主装置毎のマルチリンク部を生成し、各スレーブ主装置に、１以上のＳＩＰ端末を収容するＳＩＰ端末収容部を生成し、前記マルチリンク部と前記各ＳＩＰ端末収容部とを、ＳＩＰリンクにより接続し、前記マルチリンク部を、前記マスター主装置のＣＰＵを利用して動作させ、各ＳＩＰ収容部を、それが含まれる前記スレーブ主装置又は前記マスター主装置のＣＰＵを利用して動作させることを特徴とするＳＩＰ端末制御方法が提供される。
【０００９】
更に、本発明によれば、コンピュータを上記のマルチリンク部として機能させるためのプログラムが提供される。
【００１０】
更に、本発明によれば、コンピュータを上記のＳＩＰ端末収容部として機能させるためのプログラムが提供される。
【発明の効果】
【００１１】
本発明によれば、ＳＩＰ端末の制御を複数の主装置に分散させることができるので、各主装置のＣＰＵ負荷が軽減され、したがって、マスター主装置と１以上のスレーブ主装置とを含むシステムに多数のＳＩＰ端末が接続されることが可能となる。
【図面の簡単な説明】
【００１２】
【図１】本発明の実施形態によるＳＩＰ端末制御システムが含まれ、マスター主装置と１以上のスレーブ主装置が含まれるシステムの構成を示すブロック図である。
【発明を実施するための形態】
【００１３】
以下、図面を参照して本発明を実施するための形態について詳細に説明する。
【００１４】
図１を参照すると、本発明の実施形態によるシステムの全体は、マスター主装置１０１、第１のスレーブ主装置１０２−１、第２のスレーブ主装置１０２−２及びＳＩＰ端末１０４−１〜１０４−９を含む。
【００１５】
マスター主装置１０１の数は１である。第２のスレーブ主装置の数は、図１の例では、２であるがそれ以外の数であっても良い。
【００１６】
マスター主装置１０１、第１のスレーブ主装置１０２−１及び第２のスレーブ主装置１０２−２は、ＳＩＰリンク１０３により接続されている。ＳＩＰリンク１０３は、主装置間で通信メッセージの送受信を行う。
【００１７】
図１の例では、マスター主装置１０１には、２つのＳＩＰ端末１０４−４、１０４−５がＴＣＰ／ＩＰ上で接続され、第１のスレーブ主装置１０２−１には、３つのＳＩＰ端末１０４−１〜１０４−３がＴＣＰ／ＩＰ上で接続され、第２のスレーブ主装置１０２−２には、４つのＳＩＰ端末１０４−６〜１０４−９が接続されているが、各主装置に接続されるＳＩＰ端末の数は任意である。
【００１８】
マスター主装置１０２は、ＣＡＰＳ／ＯＰＭＳ２０１、ＩＯＣＳ２０３、マルチリンク部２０５−１〜２０５−３、ＳＩＰ端末収容部２０７を含む。マルチリンク部２０５の数である３は、主装置の数である３に対応している。従って、スレーブ主装置が追加されれば、マルチリンク部２−５もそれに応じて追加される。
【００１９】
ＣＡＰＳ／ＯＰＭＳ２０１のＣＡＰＳは、呼制御モジュールであり、ＯＰＭＳは、パッケージ、端末管理モジュールである。ここで、パッケージとは、例えば、ＳＩＰ端末収容部２０９のことである。ＩＯＣＳは、入出力制御モジュールである。
【００２０】
上述したように、マルチリンク部２０５は、システムに含まれる主装置の数と同一数設けられ、ＩＯＣＳ２０３と１つのＳＩＰ端末収容部２０７とをＳＩＰリンク１０３を介してリンクする。
【００２１】
ＳＩＰ端末収容部２０７は、送信側処理部２０９、受信側処理部２１１、ＴＣＰ／ＩＰ部２１３を含む。
【００２２】
送信側処理部２０９は、マルチリンク部２０５から送られてきた送信バイナリデータを基に、テキストで構成される送信ＳＩＰメッセージを生成して、その送信メッセージをＴＣＰ／ＩＰ部２１３に渡す。
【００２３】
受信側処理部２１１Ｊは、ＴＣＰ／ＩＰ部２１３から渡された受信ＳＩＰメッセージを解析し、解析結果をテキストメッセージとしてマルチリンク部２０５に送信する。
【００２４】
ＴＣＰ／ＩＰ部２１３は、ＳＩＰメッセージの送受信を送信側処理部２０９及び受信側処理部２１１並びにＳＩＰ端末１０４との間で担う。
【００２５】
ＣＡＰＳ／ＯＰＭＳ２０１、ＩＯＣＳ２０３及びマルチリンク部２０５−１〜２０５−３は、マスター主装置１０１のＣＰＵをこれらのそれぞれの部分として機能させるためのプログラムをマスター主装置１０１のＣＰＵが実行することにより実現される。このプログラムは、マスター主装置１０１のメモリ（図示せず）に格納される。
【００２６】
マスター主装置１０１のＳＩＰ端末収容部２０７は、マスター主装置１０１のＣＰＵをＳＩＰ端末収容部２０７として機能させるためのプログラムをマスター主装置１０１のＣＰＵが実行することにより実現される。このプログラムも、マスター主装置１０１のメモリ（図示せず）に格納される。
【００２７】
第１のスレーブ主装置１０２−１のＳＩＰ端末収容部２０７は、第１のスレーブ主装置１０２−１のＣＰＵをＳＩＰ端末収容部２０７として機能させるためのプログラムを第２のスレーブ主装置１０２−１のＣＰＵが実行することにより実現される。このプログラムは、第１のスレーブ主装置１０２−１のメモリ（図示せず）に格納される。
【００２８】
第２のスレーブ主装置１０２−２のＳＩＰ端末収容部２０７は、第２のスレーブ主装置１０２−２のＣＰＵをＳＩＰ端末収容部２０７として機能させるためのプログラムを第２のスレーブ主装置１０２−１のＣＰＵが実行することにより実現される。このプログラムは、第２のスレーブ主装置１０２−２のメモリ（図示せず）に格納される。
【００２９】
上記の各部は、プログラム中のクラスがメモリ内においてインスタンス化されたものである。
【００３０】
第１のスレーブ主装置１０２−１にも、ＣＡＰＳ／ＯＰＭＳ２０１及びＩＯＣＳ２０３が生成されている。マスター主装置１０１が正常に稼働している時には、第１のスレーブ主装置１０２−１のＣＡＰＳ／ＯＰＭＳ２０１及びＩＯＣＳ２０３は、スタンバイ状態であるが、マスター主装置１０１がダウンした時には、第１のスレーブ主装置１０２−１のＣＡＰＳ／ＯＰＭＳ２０１及びＩＯＣＳ２０３は、稼働状態となる。この時、第１のスレーブ主装置１０２−１には、マルチリンク部２０５も生成される。
【００３１】
第２のスレーブ装置についても同様である。
【符号の説明】
【００３２】
１０１  マスター主装置
１０２−１  第１のスレーブ装置
１０２−２  第２のスレーブ装置
１０３  ＳＩＰリンク
１０４−１〜１０４−９  ＳＩＰ端末
２０１  ＣＡＰＳ／ＯＰＭＳ
２０３  ＩＯＣＳ
２０５−１、２０５−２、２０５−３  マルチリンク部
２０７  ＳＩＰ端末収容部
２０９  送信側処理部
２１１  受信側処理部
２１３  ＴＣＰ／ＩＰ部
【図１】
2011160192.tif 000003
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
マスター主装置と該マスター主装置に接続された１以上のスレーブ主装置とを含むシステムにおけるＳＩＰ端末制御システムにおいて、
前記マスター主装置は、各々が前記マスター主装置又は前記スレーブ主装置の各々に対応した複数のマルチリンク部を備え、
前記マスター主装置及び各前記スレーブ主装置は、１以上のＳＩＰ端末を収容するためのＳＩＰ端末収容部を備え、
各前記マルチリンク部と各前記ＳＩＰ端末収容部とは、ＳＩＰリンクにより接続され、
各前記マルチリンク部は、前記マスター主装置のＣＰＵを利用して動作し、
各前記ＳＩＰ端末収容部は、該ＳＩＰ端末収容部が前記スレーブ主装置に含まれている場合には、該スレーブ主装置のＣＰＵを利用して動作し、前記ＳＩＰ端末収容部が前記マスター主装置に含まれている場合には、該マスター主装置のＣＰＵを利用して動作することを特徴とするＳＩＰ端末制御システム。
【請求項２】
請求項１に記載のＳＩＰ端末制御システムであって、
各前記ＳＩＰ端末収容部は、送信側処理部と受信側処理部とを少なくとも含み、前記送信側処理部は、対応する前記マルチリンク部から送られてきた送信バイナリデータを基に、テキストで構成される送信ＳＩＰメッセージを生成することを特徴とするＳＩＰ端末制御システム。
【請求項３】
請求項２に記載のＳＩＰ端末制御システムにおいて、
前記受信側処理部は、テキストで構成される受信ＳＩＰメッセージを解析し、解析の結果を前記マルチリンク部に送信することを特徴とするＳＩＰ端末制御システム。
【請求項４】
マスター主装置と該マスター主装置に接続された１以上のスレーブ主装置とを含むシステムにおけるＳＩＰ端末制御方法において、
前記マスター主装置に、各々が前記マスター主装置又は前記スレーブ主装置の各々に対応した複数のマルチリンク部を生成し、
前記マスター主装置及び各前記スレーブ主装置に、１以上のＳＩＰ端末を収容するためのＳＩＰ端末収容部を生成し、
各前記マルチリンク部と各前記ＳＩＰ端末収容部とを、ＳＩＰリンクにより接続し、
各前記マルチリンク部を、前記マスター主装置のＣＰＵを利用して動作させ、
各前記ＳＩＰ端末収容部を、該ＳＩＰ端末収容部が前記スレーブ主装置に含まれている場合には、該スレーブ主装置のＣＰＵを利用して動作させ、前記ＳＩＰ端末収容部が前記マスター主装置に含まれている場合には、該マスター主装置のＣＰＵを利用して動作させることを特徴とするＳＩＰ端末制御方法。
【請求項５】
コンピュータを請求項１に記載のマルチリンク部として機能させるためのプログラム。
【請求項６】
コンピュータを請求項１乃至３の何れか１項に記載のＳＩＰ端末収容部として機能させるためのプログラム。
【手続補正２】
【補正対象書類名】明細書
【補正対象項目名】０００７
【補正方法】変更
【補正の内容】
【０００７】
本発明によれば、マスター主装置と該マスター主装置に接続された１以上のスレーブ主装置とを含むシステムにおけるＳＩＰ端末制御システムにおいて、前記マスター主装置は、各々が前記マスター主装置又は前記スレーブ主装置の各々に対応した複数のマルチリンク部を備え、前記マスター主装置及び各前記スレーブ主装置は、１以上のＳＩＰ端末を収容するためのＳＩＰ端末収容部を備え、各前記マルチリンク部と各前記ＳＩＰ端末収容部とは、ＳＩＰリンクにより接続され、各前記マルチリンク部は、前記マスター主装置のＣＰＵを利用して動作し、各前記ＳＩＰ端末収容部は、該ＳＩＰ端末収容部が前記スレーブ主装置に含まれている場合には、該スレーブ主装置のＣＰＵを利用して動作し、前記ＳＩＰ端末収容部が前記マスター主装置に含まれている場合には、該マスター主装置のＣＰＵを利用して動作することを特徴とするＳＩＰ端末制御システムが提供される。
【手続補正３】
【補正対象書類名】明細書
【補正対象項目名】０００８
【補正方法】変更
【補正の内容】
【０００８】
本発明によれば、マスター主装置と該マスター主装置に接続された１以上のスレーブ主装置とを含むシステムにおけるＳＩＰ端末制御方法において、前記マスター主装置に、各々が前記マスター主装置又は前記スレーブ主装置の各々に対応した複数のマルチリンク部を生成し、前記マスター主装置及び各前記スレーブ主装置に、１以上のＳＩＰ端末を収容するためのＳＩＰ端末収容部を生成し、各前記マルチリンク部と各前記ＳＩＰ端末収容部とを、ＳＩＰリンクにより接続し、各前記マルチリンク部を、前記マスター主装置のＣＰＵを利用して動作させ、各前記ＳＩＰ端末収容部を、該ＳＩＰ端末収容部が前記スレーブ主装置に含まれている場合には、該スレーブ主装置のＣＰＵを利用して動作させ、前記ＳＩＰ端末収容部が前記マスター主装置に含まれている場合には、該マスター主装置のＣＰＵを利用して動作させることを特徴とするＳＩＰ端末制御方法が提供される。
【手続補正４】
【補正対象書類名】明細書
【補正対象項目名】００２３
【補正方法】変更
【補正の内容】
【００２３】
受信側処理部２１１Ｊは、ＴＣＰ／ＩＰ部２１３から渡された受信ＳＩＰメッセージを解析し、解析結果をバイナリメッセージとしてマルチリンク部２０５に送信する。